(57)【要約】【課題】配線ダクト内への配線等を容易かつ安全に行うことができると共に省スペースなテーブル等の幕板開閉装置を得る。【解決手段】脚体１と回動可能なジョイント部及び幕板３の下部と回動可能なジョイント部を設けた下リンク杆７と、脚体１又は天板３の少なくともどちらかと回動可能なジョイント部を設けた上リンク杆１６と、上リンク杆１６と回動可能なジョイント部１７ｂを設けると共に幕板３の上部と回動可能なジョイント部１７ａを設けた幕板リンク杆１７と、幕板リンク杆１７に設けた幕板開閉ジョイント穴１７ｃに上リンク杆１６側から幕板リンク杆１７方向へ弾性付勢された連結ピン１９を挿入する連結手段と、連結ピン１９を上リンク杆１６方向に押し戻す押しボタン２１とを備えた。【選択図】        図３
2004267429.tif 000002
【特許請求の範囲】
【請求項１】
脚体又は天板の少なくともどちらかと回動可能なジョイント部を設けた上リンク杆と、
前記上リンク杆と回動可能なジョイント部を設けると共に、前記幕板の上部と回動可能なジョイント部を設けた幕板リンク杆と、
前記上リンク杆と前記幕板リンク杆とを連結して一体化する連結手段と、
前記連結手段による連結を解除する連結解除手段とを備えたことを特徴とする幕板開閉装置。
【請求項２】
脚体と回動可能なジョイント部及び幕板の下部と回動可能なジョイント部を設けた下リンク杆と、
脚体又は天板の少なくともどちらかと回動可能なジョイント部を設けた上リンク杆と、
前記上リンク杆と回動可能なジョイント部を設けると共に、前記幕板の上部と回動可能なジョイント部を設けた幕板リンク杆と、
前記上リンク杆と前記幕板リンク杆とを連結して一体化する連結手段と、
前記連結手段による連結を解除する連結解除手段とを備えたことを特徴とする幕板開閉装置。
【請求項３】
前記連結手段が、幕板リンク杆に設けた幕板開閉ジョイント穴に、前記上リンク杆側から前記幕板リンク杆方向へ弾性付勢された連結ピンを挿入してなり、前記連結解除手段が、前記連結ピンを前記上リンク杆方向に押し戻す押しボタンであることを特徴とする請求項１又は２記載の幕板開閉装置。
【請求項４】
前記上リンク杆及び幕板リンク杆間の回動可能なジョイント部まわりの、前記上リンク杆と前記幕板リンク杆との相対的な回動の制動手段を備えたことを特徴とする請求項１〜３のいずれかに記載の幕板開閉装置。
【請求項５】
前記制動手段が、前記上リンク杆及び幕板リンク杆間の回動可能なジョイント部まわりの外周面と、この外周面と摺動する突起部により構成されることを特徴とする請求項４記載の幕板開閉装置。
【発明の詳細な説明】
【０００１】
【発明の属する技術分野】
本発明は、テーブル等の幕板開閉装置に係わり、更に詳しくは、配線ダクト内への配線又はコンセントの配設等を容易に行うための幕板の開閉を容易かつ安全に行うことができると共に省スペースな幕板開閉装置に関するものである。
【０００２】
【従来の技術】
従来におけるテーブル等の幕板開閉装置として、配線ダクト内への配線又はコンセントの配設等のために幕板を開けた状態を形成するために、リンク機構等によって構成され、幕板の下部を回転中心として幕板の上部を外側に開くもの（例えば、特許文献１及び２参照）等がある。
【０００３】
【特許文献１】
特開平１０−３２３２３５号公報（図１、図３）
【特許文献２】
特開２０００−５０９６６号公報（図１、図３）
【０００４】
【発明が解決しようとする課題】
従来の幕板開閉装置の構成では、前記のとおり幕板の上部を外側に開くため、テーブル後部に一定のスペースが必要となり省スペース化に適さないという問題点があった。
【０００５】
本発明が前述の状況に鑑み、解決しようとするところは、配線ダクト内への配線又はコンセントの配設等を容易かつ安全に行うことができると共に省スペースなテーブル等の幕板開閉装置を提供する点にある。
【０００６】
【課題を解決するための手段】
本発明は、前述の課題解決のために、脚体又は天板の少なくともどちらかと回動可能なジョイント部を設けた上リンク杆と、前記上リンク杆と回動可能なジョイント部を設けると共に、前記幕板の上部と回動可能なジョイント部を設けた幕板リンク杆と、前記上リンク杆と前記幕板リンク杆とを連結して一体化する連結手段と、前記連結手段による連結を解除する連結解除手段とを備えたものである。
【０００７】
また、本発明は、前述の課題解決のために、脚体と回動可能なジョイント部及び幕板の下部と回動可能なジョイント部を設けた下リンク杆と、脚体又は天板の少なくともどちらかと回動可能なジョイント部を設けた上リンク杆と、前記上リンク杆と回動可能なジョイント部を設けると共に、前記幕板の上部と回動可能なジョイント部を設けた幕板リンク杆と、前記上リンク杆と前記幕板リンク杆とを連結して一体化する連結手段と、前記連結手段による連結を解除する連結解除手段とを備えたものである。
【０００８】
ここで、前記連結手段が、幕板リンク杆に設けた幕板開閉ジョイント穴に、前記上リンク杆側から前記幕板リンク杆方向へ弾性付勢された連結ピンを挿入してなり、前記連結解除手段が、前記連結ピンを前記上リンク杆方向に押し戻す押しボタンであると好ましい。
【０００９】
また、前記上リンク杆及び幕板リンク杆間の回動可能なジョイント部まわりの、前記上リンク杆と前記幕板リンク杆との相対的な回動の制動手段を備えると好ましい。
【００１０】
さらに、前記制動手段が、前記上リンク杆及び幕板リンク杆間の回動可能なジョイント部まわりの外周面と、この外周面と摺動する突起部により構成されると好ましい。
【００１１】
【発明の実施の形態】
次に本発明の実施の形態を添付図面に基づき更に詳細に説明する。また、本実施形態においては、折畳み式テーブルを例として説明する。図１は本実施形態の折畳み式テーブルを背後から見た使用状態における全体斜視図、図２は同じく使用状態において幕板開閉装置により幕板を閉じた状態を示す側面図、図３は同じく使用状態において幕板開閉装置により幕板を開けた状態を示す側面図、図４は折畳み状態における側面図である。図中符号Ａは幕板開閉装置、Ｂはロック装置、１は脚体、２は天板、３は幕板をそれぞれ示している。また、図中符号Ｄは配線ダクトであり、Ｔは天板２下部に配設した棚である。幕板開閉装置Ａにより幕板３を開いて、天板２と幕板３との間隔を開けると、配線ダクトＤ内への配線又はコンセントの配設等がより容易となる。
【００１２】
本実施形態の折畳み式テーブルは、左右の脚体１，１の上端部に、天板２の下面両側部を上下回動可能に連結し、該天板２を略水平な使用状態（図２参照）と上方へ回動させた折畳み状態（図４参照）とに変更することができると共に、前記天板２の後部下方に配した幕板３を、幕板開閉装置Ａにより、幕板３を閉じた状態（図２参照）及び幕板３を開けた状態（図３参照）に移動可能とし、ロック装置Ｂにより、使用状態（図２参照）と折畳み状態（図４参照）にロック可能な構造となっている。
【００１３】
脚体１は、図１〜図４に示すように、主脚４と該主脚４の前方に配する単又は複数種類の中から選んだ補助脚５とからなり、主脚４の上下中間部に補助脚５の上端部を着脱可能に連結したものである。図５は脚体１の主脚４と補助脚５との連結構造の例を示す説明図であり、主脚４と補助脚５との連結部の主脚４側に挿入したナット４ａ，４ａにボルト５ａ，５ａにより補助脚５を連結して構成される。
【００１４】
また、天板２の後部下方に配した幕板３を、左右両側において一対の上下リンク部６，７にて脚体１にリンク連結するとともに、該上リンク部６と天板２後部とを連動杆８にてリンク連結して天板２と幕板３とを連動させ、天板２と幕板３の一連の折畳み動作中に常に天板２の後端部２ａと幕板３の上端部３ａとの間に所定間隔以上の空隙Ｓを形成するように、上下リンク部６，７及び連動杆８の長さと枢着位置が設定されている。したがって、天板２を略水平な使用状態（図２参照）から上方へ回動させた折畳み状態（図４参照）に変更しても、天板２の後端部２ａと幕板３の上端部３ａとの間に所定間隔以上の空隙Ｓが空けられているため、天板２の後端部２ａを持って該天板２を上下方向に回動させる際に、天板２の後端部２ａと幕板３の上端部３ａとの間で指を挟むことを防止することができる。また、折畳み状態において、折畳み式テーブルを前後にスタッキングした場合において、緩衝部材２９により天板２を保護することができる。
【００１５】
図６及び図７は前記ロック装置Ｂの動作説明図であり、図６は本実施形態の折畳み式テーブルの使用状態を示す側面図、図７は同じく折畳み状態を示す側面図である。
【００１６】
図２、図４、図６及び図７において、ロック装置Ｂは、左右の脚体１，１の上端部に、天板２の下面両側部を上下回動可能に連結し、該天板２を略水平な使用状態と上方へ回動させた折畳み状態とに固定する折畳み式テーブルのロック装置であって、脚体１に設けた支持板９に主軸１０にて天板２を回動可能に連結するとともに、該支持板９の縁部に第１係合部９ａと第２係合部９ｂを形成し、天板２の下面の両側部にそれぞれ上下傾動可能に配した規制部材１１の先端部に突設した規制部１１ａが、使用状態時に第１係合部９ａに係合し（図６）、折畳み状態時に第２係合部９ｂに係合すべく（図７）該規制部材１１を図示しないキックばねにて弾性付勢するとともに、該規制部材１１の基端部に設けた操作片１１ｂに当接して、規制部１１ａが第１係合部９ａ又は第２係合部９ｂから離れる方向に規制部材１１を操作する操作部材１２を、天板２の下面の両側部にそれぞれ回動可能に設けたものである。
【００１７】
ここで、規制部材１１は、枢軸１３にて傾動可能となし、該規制部材１１とは別体の操作部材１２が支軸１２Ａにて回動可能に設けられている。そして、前記天板２の下面の両側部に設けた両操作部材１２，１２は、その支軸１２Ａ，１２Ａが図示しない一本のシャフトの両端部に固定され連動して回動するようになっている。操作部材１２は、レバー１２ａと規制部材１１の操作片１１ｂに当接する押圧片１４を有し、レバー１２ａを持ち上げることによって、押圧片１４が操作片１１ｂを下方に押し、それにより規制部材１１のピン状の規制部１１ａが図示しないキックばねの弾性付勢力に抗して、第１係合部９ａ又は第２係合部９ｂから離れ、天板２の前縁部等の適所を持って上方に回動させたり、下方へ回動させて状態を変化させるのである。ここで、押圧片１４には支持部１４ａが形成されているため、天板支持フレームを構成する支持部材１５の内部での操作部材１２のガタツキを抑制すことができる。
【００１８】
次に、前記幕板開閉装置Ａを説明する。図８は上リンク部６の構成を説明するための斜視図であり、上リンク部６は、上リンク杆１６及び幕板リンク杆１７とから構成されている。また、上リンク杆１６は、脚体１とのジョイント部１６ａ、連動杆８とのジョイント部１６ｂ、幕板リンク杆１７との連結ジョイント部１６ｃ及び幕板開閉ジョイント部１６ｄを備えており、幕板リンク杆１７は、幕板３とのジョイント部１７ａ、回転軸１８を前記連結ジョイント部１６ｃと連通する連結ジョイント部１７ｂ及び幕板開閉ジョイント部１７ｃを備えている。
【００１９】
上リンク杆１６の幕板開閉ジョイント部１６ｄには、その穴に連結ピン１９及び該連結ピン１９を幕板リンク杆１７方向に弾性付勢する圧縮コイルばね２０が挿入される。該圧縮コイルばね２０の弾性付勢力により、連結ピン１９の頭部１９ａは幕板リンク杆１７の幕板開閉ジョイント部１７ｃの穴に係合するため、上リンク杆１６に対する幕板リンク杆１７の回転軸１８まわりの回動が抑制される。連結ピン１９及び圧縮コイルばね２０等が、上リンク杆１６と幕板リンク杆１７の回動を止めて上リンク杆１６と幕板リンク杆１７とを連結して一体化する連結手段を構成している。また、幕板リンク杆１７の幕板開閉ジョイント部１７ｃの穴には、連結解除手段である押しボタン２１（ボタン２１ａ及び２１ｂが連結して構成される）が、前記連結ピン１９の頭部１９ａを上リンク杆１６方向に押圧可能に支持されている。
【００２０】
図９及び図１０は、前記幕板開閉装置Ａの上リンク部６の動作説明図であり、図９（ａ）及び図１０（ａ）は上リンク部６の上リンク杆１６の幕板開閉ジョイント部１６ｄと幕板リンク杆１７の幕板開閉ジョイント部１７ｃとが図８の連結ピン１９により連結されている状態を示す斜視図、図９（ｂ）及び図１０（ｂ）は連結解除手段である押しボタン２１を押して上リンク部６の上リンク杆１６の幕板開閉ジョイント部１６ｄと幕板リンク杆１７の幕板開閉ジョイント部１７ｃとの連結を解除した状態を示す斜視図である。図１０において、３０は天板２を支持するフレームである。押しボタン２１を押すことにより、上リンク部６の上リンク杆１６の幕板開閉ジョイント部１６ｄと幕板リンク杆１７の幕板開閉ジョイント部１７ｃとの連結が解除され、幕板リンク杆１７が上リンク杆１６と回転軸１８まわりに回動可能となるため、幕板３の重さにより、幕板３とのジョイント部１７ａは下降する。したがって、図２の幕板３を閉じた状態から図３の幕板３を開けた状態に容易に変更することができる。また、幕板３を開けた状態を形成するために幕板３の上部を外側に開く方式と異なり、幕板３の上部を外側に開かずに、天板２の後端部２ａと幕板３の上部３ａとの間隙を広げることができ、後方への倒れが無いため、配線ダクトＤ内への配線又はコンセントの配設等を容易に行うための幕板３の開閉を省スペースにて行うことができる。
【００２１】
また、図３の幕板３を開けた状態から図２の幕板３を閉じた状態への変更は、図９（ｂ）の操作レバー２２を図９（ａ）の状態まで押し下げ、連結ピン１９の頭部１９ａを幕板リンク杆１７の幕板開閉ジョイント部１７ｃの穴に係合させて、上リンク杆１６の幕板開閉ジョイント部１６ｄと幕板リンク杆１７の幕板開閉ジョイント部１７ｃとを連結させることにより簡単に行うことができる。
【００２２】
図１１は、上リンク杆１６の幕板開閉ジョイント部１６ｄと幕板リンク杆１７の幕板開閉ジョイント部１７ｃとの連結を押しボタン２１により解除させた後に、上リンク杆１６に対して幕板リンク杆１７が相対的に回動した状態における連結ピン１９の状態を示す説明図である。連結ピン１９には圧縮コイルばね２０による幕板リンク杆１７方向の弾性付勢力が作用しているが、幕板リンク杆１７にはフランジ部２３が形成されており、押しボタン２１により前記連結を解除後、上リンク杆１６に対して幕板リンク杆１７が相対的に回動した状態においては、フランジ部２３が連結ピン１９の頭部１９ａの突出を抑制している。したがって、操作レバー２２を押し下げて幕板リンク杆１７の幕板開閉ジョイント部１７ｃを上リンク杆１６の幕板開閉ジョイント部１６ｄの位置に合わせるまで連結ピン１９の頭部１９ａは突出しないため、前記操作レバー２２の押し下げと連結ピン１９の頭部１９ａとは干渉しないように構成されている。
【００２３】
図１２は、図９の上リンク部６の構成を裏側から見た図であり、図１２（ａ）は図９（ａ）の上リンク部６の構成を裏側から見た側面図、図１２（ｂ）は図９（ｂ）の上リンク部６の構成を裏側から見た側面図である。
【００２４】
本発明に係る幕板開閉装置では、前記のとおり、幕板開閉ジョイント部１６ｄと幕板リンク杆１７の幕板開閉ジョイント部１７ｃとの連結及びその解除により幕板３の開閉を行うが、この開閉動作時における回転軸１８まわりの上リンク杆１６と幕板リンク杆１７との相対的な回動時において、幕板リンク杆１７の幕板３とのジョイント部１７ａまわりに形成した突起部２４の先端を上リンク杆１６のジョイント部１６ｃの外周面２５に沿って摺動させるように形成しているため、前記幕板３の開閉動作をゆっくりと行わせることができる。したがって、前記幕板３の開閉動作に伴う幕板の移動が急激に行われることがないため、より安全性を高めることができる。このような、上リンク杆１６と幕板リンク杆１７との相対的な回動の制動手段は、図１２のような構成に限定されず、例えば、回転軸１８まわりにブレーキシュー等の摩擦材を配設する等の制動手段を採用することもできる。
【００２５】
図１３は、幕板３の側端部に装着する樹脂カバー２６の例を示す斜視図であり、図１０のように装着されるものである。また、図１４は、幕板３と樹脂カバー２６との取り付け構造の説明用断面図であり、幕板３に取り付けた板金２７に形成したねじ部２７ａにねじ２８を螺着して、このねじ２８により樹脂カバー２６の内面を押して幕板３に樹脂カバー２６を沿わせるようにしているため、幕板３と樹脂カバー２６との密着性・意匠性を高めることができる。
【００２６】
以上の説明においては、折畳み式テーブルを例として、本発明に係る幕板開閉装置を説明したが、本発明に係る幕板開閉装置は折畳み式テーブルへの適用に限定されるものではない。例えば、本発明に係る幕板開閉装置を固定式テーブルへ適用する場合は、折畳み式テーブルの例で説明した構成と同様の構成を採用することもできるし、上リンク部６の連動杆８とのジョイント部１６ｂ及び連動杆８をなくして、上リンク部６の脚体１とのジョイント部１６ａを直接脚体又は天板２の適宜位置と回動可能に支持することもできる。
【００２７】
【発明の効果】
この発明に係る幕板開閉装置は、以上説明したように構成されているので、以下に示すような効果を奏する。
【００２８】
請求項１乃至３に係る発明によれば、幕板の上部を外側に開かずに天板の後端部と幕板の上部との間隙を容易に広げることができるため、幕板の開閉を省スペースにて実現することができる。
【００２９】
また、請求項４及び５に係る発明によれば、請求項１乃至３に係る発明の効果に加え、前記幕板の開閉動作をゆっくりと行うことができるため、より安全性を高めることができる。
【図面の簡単な説明】
【図１】本実施形態の折畳み式テーブルを背後から見た使用状態における全体斜視図である。
【図２】同じく使用状態において幕板開閉装置により幕板を閉じた状態を示す側面図である。
【図３】同じく使用状態において幕板開閉装置により幕板を開けた状態を示す側面図である。
【図４】本実施形態の折畳み式テーブルの折畳み状態における側面図である。
【図５】脚体１の主脚４と補助脚５との連結構造の例を示す説明図である。
【図６】ロック装置Ｂの動作説明図であり、本実施形態の折畳み式テーブルの使用状態を示す側面図である。
【図７】ロック装置Ｂの動作説明図であり、本実施形態の折畳み式テーブルの折畳み状態を示す側面図である。
【図８】上リンク部６の構成を説明するための斜視図である。
【図９】幕板開閉装置Ａの上リンク部６の動作説明図であり、（ａ）は上リンク杆１６と幕板リンク杆１７とが連結された状態を示す斜視図、（ｂ）は前記連結を解除した状態を示す斜視図である。
【図１０】幕板開閉装置Ａの上リンク部６の動作説明図であり、（ａ）は上リンク杆１６と幕板リンク杆１７とが連結された状態を示す斜視図、（ｂ）は前記連結を解除した状態を示す斜視図である。
【図１１】上リンク杆１６に対して幕板リンク杆１７が相対的に回動した状態における連結ピン１９の状態を示す説明図である。
【図１２】図９の上リンク部６の構成を裏側から見た図であり、（ａ）は図９（ａ）の上リンク部６の構成を裏側から見た側面図、（ｂ）は図９（ｂ）の上リンク部６の構成を裏側から見た側面図である。
【図１３】幕板３の側端部に装着する樹脂カバー２６の例を示す斜視図である。
【図１４】幕板３と樹脂カバー２６との取り付け構造の説明用断面図である。
【符号の説明】
Ａ  幕板開閉装置
Ｂ  ロック装置
Ｄ  配線ダクト
Ｓ  天板の後端部と幕板の上端部との空隙
１  脚体
２  天板
３  幕板
４  主脚
５  補助脚
６  上リンク部
７  下リンク部
８  連動杆
１６  上リンク杆
１７  幕板リンク杆
１６ａ  脚体１とのジョイント部
１６ｂ  連動杆８とのジョイント部
１６ｃ  幕板リンク杆１７とのジョイント部
１６ｄ  幕板開閉ジョイント部
１７ａ  幕板３とのジョイント部
１７ｂ  連結ジョイント部
１７ｃ  幕板開閉ジョイント部
１８  回転軸
１９  連結ピン
２０  圧縮コイルばね
２１  押しボタン
２２  操作レバー
２４  突起部
２５  外周面
【図１】
2004267429.tif 000003
【図２】
2004267429.tif 000004
【図３】
2004267429.tif 000005
【図４】
2004267429.tif 000006
【図５】
2004267429.tif 000007
【図６】
2004267429.tif 000008
【図７】
2004267429.tif 000009
【図８】
2004267429.tif 000010
【図９】
2004267429.tif 000011
【図１０】
2004267429.tif 000012
【図１１】
2004267429.tif 000013
【図１２】
2004267429.tif 000014
【図１３】
2004267429.tif 000015
【図１４】
2004267429.tif 000016